(57)【要約】【課題】遊技盤上を流下する遊技球を磁力によって格別斬新な動きをなすようにし、パチンコ機の興趣を増大させる。【解決手段】遊技盤１の図柄変動表示器２の上縁部に遊技球Ｂの重さに優る吸着力を持った磁石８を配置してなる誘導体３を設け、該誘導体の下面を緩やかな傾斜状に形成し、該磁石に吸着された遊技球Ｂが該誘導体の下面を宙吊状態にて移動するようにした。また遊技球Ｂを誘導体３の下面に案内する可動片１７を設ける。また、上記磁石は永久磁石または電磁石とする。【選択図】図１
2005034369.tif 000002
【特許請求の範囲】
【請求項１】
遊技盤の遊技領域に遊技球の重さに優る吸着力を持った磁石を配置してなる誘導体を設け、該磁石に吸着された遊技球が該誘導体の下面を宙吊状態にて移動するようにしたことを特徴とするパチンコ機の遊技球誘導装置。
【請求項２】
誘導体の下面を緩やかな傾斜状に形成した請求項１に記載のパチンコ機の遊技球誘導装置。
【請求項３】
誘導体を図柄変動表示器の上縁部に設けた請求項１または２に記載のパチンコ機の遊技球誘導装置。
【請求項４】
誘導体を入賞口の上部に設けた請求項１〜３のいずれかに記載のパチンコ機の遊技球誘導装置。
【請求項５】
遊技球を誘導体の下面に案内する可動片を設けた請求項１〜４のいずれかに記載のパチンコ機の遊技球誘導装置。
【請求項６】
磁石は吸着力を制御し得る電磁石である請求項１〜５のいずれかに記載のパチンコ機の遊技球誘導装置。
【発明の詳細な説明】
【技術分野】
【０００１】
本発明はパチンコ機の遊技盤面にある遊技球を誘導することにより遊技の興趣を増大させる遊技球誘導装置に関するものである。
【背景技術】
【０００２】
遊技盤上を様々な道程を経て流落する遊技球について、永久磁石により該遊技球を吸着することにより入賞を容易ならしめたりする入賞装置は従来から知られている。下記特許文献１に示された遊技球誘導装置は、遊技球の落下速度を減速するために永久磁石を落下樋の側壁に設けてなるものである。また下記特許文献２に示された入賞装置は、ステッピングモータにより回転動するドラムの外周側を遊技球を吸着できる磁石とすることで遊技球の動きを変化させるようにしたものである。
【特許文献１】特開平１０−２１１３２３号公報
【特許文献２】特開平８−３３６６４０号公報
【発明の開示】
【発明が解決しようとする課題】
【０００３】
ところで、遊技球を磁石により誘導する装置は上記のように従来から知られているにしても、これらは遊技球の自重を底面または上向き壁面によって支持してうえで該遊技球を側方からの磁力により誘導するものであったので、底面上または上向き壁面上での遊技球の動きに変化が与えられるにすぎないものであった。このため斬新な動きがなされないものであった。
【０００４】
そこで本発明は、磁力によって遊技球に格別斬新な動きをさせ、パチンコ機の興趣を増大させようとするものである。
【課題を解決するための手段】
【０００５】
そのために本発明の遊技球誘導装置は、遊技盤の遊技領域に遊技球の重さに優る吸着力を持った磁石を配置してなる誘導体を設け、該磁石に吸着された遊技球が該誘導体の下面を宙吊状態にて移動するようにしたことを特徴とする。
また本発明は上記遊技球誘導装置において、誘導体の下面を緩やかな傾斜状に形成したことを特徴とする。
また本発明は上記遊技球誘導装置において、誘導体を図柄変動表示器の上縁部に設けたことを特徴とする。
また本発明は上記遊技球誘導装置において、誘導体を入賞口の上部に設けたことを特徴とする。
また本発明は上記遊技球誘導装置において、遊技球を誘導体の下面に案内する可動片を設けたことを特徴とする。
また本発明は上記遊技球誘導装置において、磁石は吸着力を制御し得る電磁石であることを特徴とする。
【発明の効果】
【０００６】
遊技者は、遊技領域にて無重力状態であるかのように遊技球が誘導体の下面からぶら下がった状態になって移動するという格別斬新な動きを体験できる。このためパチンコ遊技の興趣を増大させる。
【発明を実施するための最良の形態】
【０００７】
遊技盤の図柄変動表示器の上縁部に遊技球の重さに優る吸着力を持った磁石を配置してなる誘導体を設け、該誘導体の下面を緩やかな傾斜状に形成し、該磁石に吸着された遊技球が該誘導体の下面を宙吊状態にて移動するようにした。
【実施例１】
【０００８】
図１〜図３は、いわゆる第１種パチンコ機の遊技盤１に設けられた液晶ディスプレイ，セグメント表示装置等の図柄変動表示器２の前面外周を囲う額縁に本発明に係る遊技球誘導装置を設けた実施例を示す。即ち、この実施例では下面が円弧状の緩やかな傾斜面に形成された一対の誘導体３を図柄変動表示器２の上縁部に遊技球Ｂが流入し得る流入口４を隔てて左右対称に突設し、該誘導体３の両端縁５は図柄変動表示器２の両側縁に沿って下方に延設する。なお、６は遊技盤１上を流下する遊技球Ｂを流入口４に導く斜通路７を形成するため遊技盤上に突設された突起部である。
【０００９】
誘導体３には、図３の断面図にも示したように、遊技球の重さに優る吸着力を持った複数個の永久磁石８を流入口４および下面の傾斜方向に沿ってＮ極とＳ極とが交互になるように列設し、該誘導体３の下面に遊技球Ｂがぶら下がり得るようにする。また、両端縁５にも連続状に永久磁石８を列設し、該両端縁に遊技球が吸着されるようにする。
【００１０】
９は図柄変動表示器２の下部中央に設けられた始動入賞口、１０は誘導体３の両端縁５の直下に設けられた特定入賞口である。その他、１１は普通入賞口、１２は可変入賞装置、１３は風車である。
【００１１】
このため遊技盤１上を流下する遊技球Ｂが流入口４に来ると、該遊技球Ｂは図示したように永久磁石８の磁力により該誘導体３の下面にぶら下がって宙吊状態にて傾斜方向に移動し、さらに両端縁５に吸着された状態で真直下方に落下することから特定入賞口１０に入賞し易くなる。このように永久磁石８を設けたことにより、遊技球Ｂは図柄変動表示器２の映像面内に少なくとも半球分が垂れ下がった状態にて移動し、今までにない特有な動きを遊技者に見せることができる。
【００１２】
また、複数個の永久磁石８をＮ極とＳ極とが交互になるように列設したことにより磁力の強い箇所が定間隔でできることから、遊技球Ｂはその磁力に吸着されステップ状の動きを伴って移動し、さらに特有の動きとなり得る。
【実施例２】
【００１３】
また、図４，図５は図柄変動表示器２の下縁であり始動入賞口１５の上部に誘導体３を設けた実施例を示す。この誘導体３は下方に膨らむ円弧面状の下面に沿って永久磁石８が設けられ、該永久磁石の吸着力により該遊技盤面上を流下する遊技球Ｂが該誘導体３の下面にぶら下がって矢印の方向に移動する。このため始動入賞口１５の真上から落下し、始動入賞口１５に入賞し易くなる。このようにこの実施例でも磁力によって遊技球Ｂを宙吊状態として移動させることで、特定の入賞口への入賞を容易ならしめるなど、入賞確率を制御することができる。
【実施例３】
【００１４】
また、図６に示した実施例は、上記実施例２における図柄変動表示器２の下部両側に遊技盤上を流下する遊技球を誘導体３の両側下面に向けて案内するガイド片１６を設けるとともに、該ガイド片の下端部にソレノイド（図示せず）の作動によって矢印で示したように反復回転動する可動片１７を設け、例えば大当たり動作終了後の一定期間のように特定の時期に該可動片１７を同図中実線で示したように誘導体３の下面に沿わせることにより、遊技球が該誘導体３の下面に前記永久磁石８の磁力によって吸着され易くなるようにしたものである。このため、遊技球の始動入賞口１５への入賞も一層容易となる。
【実施例４】
【００１５】
一方、図７に示した実施例は、本発明の遊技球誘導装置をいわゆる第２種パチンコ機の遊技盤に設けたものである。即ち、遊技盤１に設けられた中央役物２０の上部両側に両側にソレノイドの作動により起立または外傾動する可動翼片２２を設け、該中央役物２０内に区画室２３を形成する。図８，図９に示したように該区画室２３の天井面を緩やかな後傾状に形成し該天井面に複数の永久磁石２５を埋設状に列設することで、直線状の誘導体２４を形成し、該誘導体の下端が該区画室２３の正面壁２７の中央に連なるように永久磁石２５を列設する。２８は該正面壁２７および底面２９に形成されたガイドリブである。該区画室２３の底面２９は緩やかな前傾状に形成され、該該区画室２３の前縁中央に特定入賞口３０を設け、その両側に普通入賞口３１を設けている。なお、３２，３３は中央役物２０の下方に設けられた始動入賞口、３４は普通入賞口である。
【００１６】
この遊技盤では、流下する遊技球が始動入賞口３２，３３に入賞することで前記可動翼片２２が１，２回外傾動し、その際に該可動翼片に遊技球が捕捉されると、その遊技球は区画室２３に流入する。そのとき一部の遊技球は永久磁石２５に吸着され該区画室２３の天井面に宙吊状態となりこの直線状の誘導体２４に沿って正面壁２７の中央に向けて移動した後、ガイドリブ２８に沿って直下に落ち、さらに底面２９上を前方に転がり、特定入賞口３０に入賞すれば大当たりとなり、可動翼片２２が繰り返し回動することで中央役物２０内への入賞が容易となり、遊技者に多くの利益がもたらされる。従ってこの実施例では、遊技者は区画室２３内に天井面から遊技球がぶら下がって移動する様を観察し、その行方を推測して楽しむことができる。なお、遊技球の勢いによっては一旦はぶら下がっても途中で落下することもある。
【実施例５】
【００１７】
また、図１０，図１１に示した実施例は、上記実施例４の中央役物２０における区画室２３の天井面をドーム状に形成し、これにいわゆるゴム磁石４０を貼着してなるものである。ゴム磁石４０は、周知のように弾性樹脂中に強磁性粒子を混合分散しこれを磁化してなる永久磁石で、可撓性があるので区画室２３の天井面に容易に貼着し得る。そしてこの実施例では、実施例４と同様に可動翼片２２によって捕捉された遊技球が、該ゴム磁石に吸着され、天井面にぶら下がって様々な方向に動くことから、その特有の動きを楽しむことができる。
【実施例６】
【００１８】
また、図１２に示した実施例は、上記実施例４の中央役物２０における区画室２３の天井面にゴム磁石４０を貼着するとともに、正面壁２７を該天井面から連続する円弧面状に形成し、該正面壁２７にもゴム磁石を貼着してなるものである。このように、正面壁２７を天井面から連続状に形成することにより天井面だけでなく正面壁によっても遊技球が磁力により誘導されるように構成できる。
【００１９】
なお、図示しないが、区画室２３の天井面、正面、および両側面を一連とする球面（例えば１／４球面）状に形成し、内面にゴム磁石を貼着することにより、遊技球が球面内を磁力により宙吊状態で様々な方向に移動するように構成することもできる。また、図示しないが、その内面に例えばＬＥＤ等の点光源を適宜間隔で多数配置することにより、星空のような視覚に訴える美的効果を発揮することも可能である。また、これによって星座のような図柄を表示したり、遊技球が誘導された表示図柄の良否によって、遊技者にとって有利または不利になるように設定することも可能である。
【実施例７】
【００２０】
また、図１３に示した実施例は、上記図柄変動表示器２の表面に、枝分かれ状となった複数本の経路を設けこれに複数個の永久磁石２５を列設し、流入口４から流入し該永久磁石２５に吸着された遊技球がどの経路に吸引されていくかによって特定入賞口３０または普通入賞口３１への入賞の可否が決せられるようにしたものである。このように永久磁石２５の配列によって遊技球の動きに様々な変化を及ぼすことができる。なお、この場合、図柄変動表示器２は複数画面に区画されたものとし、その区画線上に経路を設けるようにしてもよい。
また、このような永久磁石２５による枝分かれ状となった複数本の経路を上記実施例４〜６における区画室２３の天井面、正面、および両側面等に形成することも可能である。
【実施例８】
【００２１】
また以上の実施例１〜７は、永久磁石により遊技球を吸着するものであったが、電磁石を使用することも可能である。電磁石を使用した場合は、そのオン・オフによって遊技球の動きを制御することができるので、遊技状況に従って入賞の難易度をコントロールすることも可能となる。また、複数の電磁石を列設し、所定の順番でその電磁石を励磁させることにより、遊技球を所望方向に宙吊移動させることも可能となる。その場合、下方の電磁石から上方の電磁石に順に励磁させることで遊技球を重力に反して上昇させることも可能であり、その上端部に入賞口や球センサを設け、遊技球を入賞させたり遊技者にとって有利な設定となるようにすることも可能である。
【実施例９】
【００２２】
また図１４，図１５に示した実施例は、遊技盤１に設けらえた可変入賞装置からなる始動入賞口９の上部両側で、遊技盤１の表面装飾板（セル板）４４の内側なるように複数の電磁石４５を埋設し、該電磁石４５を特定時期に限って励磁させ、遊技盤上を流下する遊技球Ｂがその磁力により始動入賞口９に導かれ易くなるようにしたものである。
【図面の簡単な説明】
【００２３】
【図１】本発明の実施例を示すパチンコ機の遊技盤の正面図。
【図２】図１の図柄変動表示器の拡大正面図。
【図３】図２の図柄変動表示器の縦断面図。
【図４】本発明の実施例を示す遊技盤の要部拡大正面図。
【図５】図４のＡ−Ａ線断面図。
【図６】本発明の実施例を示す遊技盤の要部拡大正面図。
【図７】本発明の実施例を示すパチンコ機の遊技盤の正面図。
【図８】図７の中央役物の拡大正面図。
【図９】図８の中央役物の縦断面図。
【図１０】本発明の実施例を示す中央役物の拡大正面図。
【図１１】図１０の中央役物の縦断面図。
【図１２】本発明の実施例を示す中央役物の縦断面図。
【図１３】本発明の実施例を示す図柄変動表示器の正面図。
【図１４】本発明の実施例を示す遊技盤の要部拡大正面図。
【図１５】図１４の縦断面図。
【符号の説明】
【００２４】
Ｂ    遊技球
１    遊技盤
２    図柄変動表示器
３    誘導体
８    永久磁石
９    始動入賞口
１０  特定入賞口
１７  可動片
４５  電磁石
【図１】
2005034369.tif 000003
【図２】
2005034369.tif 000004
【図３】
2005034369.tif 000005
【図４】
2005034369.tif 000006
【図５】
2005034369.tif 000007
【図６】
2005034369.tif 000008
【図７】
2005034369.tif 000009
【図８】
2005034369.tif 000010
【図９】
2005034369.tif 000011
【図１０】
2005034369.tif 000012
【図１１】
2005034369.tif 000013
【図１２】
2005034369.tif 000014
【図１３】
2005034369.tif 000015
【図１４】
2005034369.tif 000016
【図１５】
2005034369.tif 000017